(57)【要約】【課題】取り都合を向上し印刷コストを削減し収容物の保持力も有する収容ケースを実現する。【解決手段】所定形状の原料紙を、その任意の一辺と平行に沿って裁断しブランク２０を形成して取り都合を向上する。収容ケース１０は扉部領域、背面部領域、収容部領域に区分される。扉部３０は扉部シート３３、３４で形成され、背面部５０は背面部シート５０ｂで形成される。収容部シート４２〜４４は、収容物を収容する開口部を有し、背面部シートのブランク２０の他面側に重ねて折り曲げられて収容部４０を形成する。扉部３０と背面部５０の間にセルフヒンジ部１１を位置づけ、扉部３０と背面部５０の間に収容部４０を位置づけ、収容ケース１０を閉じた状態で扉部の内側面３０ａ、扉部の外側面３０ｂ、背面部の外側面５０ａ、収容部表面シートの上面４１になるシートは何れもブランク２０の一面側にあって、印刷はこの一面側の印刷で足りる。【選択図】図１
2013014361.tif 000002
【特許請求の範囲】
【請求項１】
所定形状の原料紙を、その任意の一辺と平行する裁断線に沿って裁断することで、取り都合よく裁断されたブランクで形成された収容ケースであって、
前記ブランクは、折り曲げ線、セルフヒンジ部、およびスリットを有して、扉部領域、背面部領域、および収容部領域に区分され、
該収容ケースの扉部は前記扉部領域が有する複数の扉部シートで形成され、
該収容ケースの背面部は前記背面部領域が有する背面部シートで形成され、
該収容ケースの収容部は前記収容部領域が有する複数の収容部シートで形成され、
前記複数の収容部シートは何れも該収容ケースに収容される収容物を収容するための開口部を有し、
前記複数の収容部シートが、前記背面部シートの前記ブランクの他面側に重ねて折り曲げられて前記収容部が形成され、
前記収容部の最上部に位置づけられた収容部表面シートが、前記背面部とともに被収容物を保持するための保持手段を有し、
前記複数の扉部シートが、前記ブランクの一面側が扉部の前面・後面に位置づけられるように前記扉部が形成され、
前記扉部と前記背面部との間に前記セルフヒンジが位置づけられて、前記扉部が閉じられると、前記扉部と前記背面部との間に前記収容部が位置づけられるようになっており、
該収容ケースを閉じた状態で、前記扉部の内側面、前記扉部の外側面、前記背面部の外側面、および前記収容部表面シートの上面が、何れも前記ブランクの一面側にあることを特徴とする収容ケース。
【請求項２】
請求項１に記載の収容ケースにおいて、
前記複数の収容部シートが有する前記開口部の縁は、
前記収容部表面シートにおいて、前記収容物の外縁に最も接近し、
前記収容部表面シート以外の前記収容部シートの開口部の縁は、前記収容部表面シートの開口部の縁よりも若干広がって形成されて、
前記収容物を前記収容部表面シート以外の前記収容部シートの開口部で形成された空間に収容することができ、
前記収容部表面シートの前記開口部の縁が、前記収容物の脱落を防止できることを特徴とする収容ケース。
【請求項３】
前記保持手段は、前記収容部表面の開口部に向けて延出した開口延出部であることを特徴とする請求項１に記載の収容ケース。
【請求項４】
前記複数の収容部シートは、何れもそれらの前記開口部に連接する取り出し孔を有していることを特徴とする請求項１ないし３の何れかに記載の収容ケース。
【発明の詳細な説明】
【技術分野】
【０００１】
本発明は、被収容物を収容する収容ケースに関するものである。
【背景技術】
【０００２】
コンパクトディスク等を収容するための収容ケースは、プラスチック等で形成されたものが多かったが、近年、リサイクルの容易さ、製造コスト削減等の理由から、紙製の収容ケースが多用されるようになってきた。
【０００３】
こうした収容ケースとして、一方に開口部を設け両側編辺および底辺が外側に向かって突出した内壁および外壁板を有する収納部材を形成し、収納部材の切り欠きを上側にし、かつ開口部を収納部材の何れか一方の表紙板方向に向け貼着した収納ケースが提案されている（特許文献１）。
【０００４】
しかし、上記収納ケースは、収納部材および台紙部材のそれぞれのブランクを、裁断によって形成したのち、両部材をそれぞれ折りたたむ等し、さらに互いに貼着したものであり、省資源の観点からブランクの取り都合を向上させることを目的としたものではない（取り都合とは、決められた大きさの紙（定尺の原料紙等）から、必要な部材をどれだけ裁断でき、切れ端としてロスになる紙片を如何に少なくできるかということである。）。
【０００５】
こうした取り都合を考慮した収容ケースとして、所定の厚さを有する長方形のシート材から構成され、シート材の長辺を均等に分割して表紙部と収納部と裏表紙部とを折曲部を介して連設し、収納部に収納対象物品の外部形状に相当する開口部を形成し、表紙部と収納部、収納部と裏表紙部の各対面を接着手段により接着することにより開口部に収納対象物品を保持する閉鎖空間が形成される収容ケースが提案されている（特許文献２）。
【０００６】
上記収容ケースは、収納部を封じる表紙部と裏表紙部が収納部に折曲部を介して連設されており、表紙部と裏表紙部がそれぞれ折曲部に沿って折りたたまれるようになっている。そして、表紙部の外側になる面と内側になる面の位置関係は展開図上では二面（表裏）の関係になる。したがって、表紙部の外側および内側の両方に印刷を施すためには、予めブランクの二つの面にそれぞれ印刷する必要があり、印刷コスト削減・印刷作業効率化の余地がある。裏表紙部についても同様である。
【先行技術文献】
【特許文献】
【０００７】
【特許文献１】特開平１１−９１８４８号公報
【特許文献２】特開２００６−８９０７７号公報
【発明の概要】
【発明が解決しようとする課題】
【０００８】
上記問題を解消するため、本発明は、取り都合を向上させることができ、印刷コストを削減することができ、また被収容物の保持力も有する、収容ケースを提供することを課題としたものである。
【課題を解決するための手段】
【０００９】
上記課題を解決するために、本発明にかかる収容ケースは、所定形状の原料紙を、その任意の一辺と平行する裁断線に沿って裁断することで、裁断によって生じるロスを最小限にできる（取り都合よく裁断できる）ブランクから形成される。こうして形成されるブランクは、折り曲げ線、セルフヒンジ部、およびスリットを有して、扉部領域、背面部領域、および収容部領域に区分されている。
【００１０】
該収容ケースの扉部は扉部領域が有する複数の扉部シートで形成され、該収容ケースの背面部は背面部領域が有する背面部シートで形成され、該収容ケースの収容部は収容部領域が有する複数の収容部シートで形成されている。
【００１１】
複数の収容部シートは何れも該収容ケースに収容される収容物を収容するための開口部を有している。そしてこれらの複数の収容部シートが、背面部シートのブランクの他面側に折り曲げられ重ねられて、収容部を形成するようになっている。収容部の最上部に位置づけられる収容部表面シートは、背面部とともに被収容物を保持するための保持手段を有している。
【００１２】
また複数の扉部シートは、ブランクの一面側が扉部の前面・後面に位置づけられるように折り曲げられ重ねられて扉部を形成する。
【００１３】
扉部と背面部との間にセルフヒンジ部が位置づけられて、扉部が閉じられると、扉部と背面部との間に収容部が位置づけられるようになっており、該収容ケースを閉じた状態で、扉部の内側面、扉部の外側面、背面部の外側面、および収容部表面シートの上面が、何れもブランクの一面側の面となるようになっている。従って、該収容ケースの所望の面に印刷を施すためには、ブランクの一面側の所定の領域に印刷を施せばよいことになる。
【００１４】
ここで、複数の収容部シートが有する開口部の縁は、収容部表面シートにおいて、収容物の外縁に最も接近し、収容部表面シート以外の収容部シートの開口部の縁は、収容部表面シートの開口部の縁よりも若干広がって形成されていれば、収容物を収容部表面シート以外の収容部シートの開口部で形成された空間に収容することができるとともに、収容部表面シートの開口部の縁が、収容物の脱落を防止できる。
【００１５】
また保持手段が、収容部表面の開口部に向けて延出した開口延出部であれば、この開口延出部も収容物の脱落を防止する。
【００１６】
複数の収容部シートが、何れもそれらの開口部に連接する取り出し孔を有していれば、これら取り出し孔に指などをいれて収容部を容易に取出すことができる。
【発明の効果】
【００１７】
上記構成を有する本発明は、取り都合を向上させることができ、ブランクの一面側に印刷を施すだけで収容ケースの所望の面に印刷を施すことができるから、印刷コストを削減することができ、また被収容物の保持力も有する収容ケースを実現することができる。
【図面の簡単な説明】
【００１８】
【図１】本発明にかかる収容ケースのブランク２０の構成を示す図である。
【図２】本発明にかかる収容ケースの、扉部３０を開いたときの斜視概略構成を示す図である。
【図３】図２に示す収容ケースの収容部４０の断面概略構成を示す図である。
【発明を実施するための形態】
【００１９】
以下、図面を参照して、本発明にかかる収容ケースについて説明する。
【実施例】
【００２０】
図１は本発明にかかる収容ケースのブランク２０の構成を示す図である。平面視長方形状の原料紙を、その任意の一辺と平行する裁断線に沿って、平面視長方形状のブランク２０に裁断するので裁断によって生じるロスを最小限にできる。
【００２１】
前記ブランク２０は、シート部３３、３４、４２、４３、４４および５０ｂを有している。前記ブランク２０は、折り曲げ線１２乃至１５、セルフヒンジ部１１、およびスリット１６、１７を有して、扉部領域（シート部３３および３４）、背面部領域（シート部５０ｂ）、および収容部領域（シート部４２、４３および４４）に区分される。印刷面を裏面にして平面視したとき、背面部（シート部５０ｂ）の上側にはシート部４４が、背面部（シート部５０ｂ）の下側にはシート部４３が、該シート部４３の左側にはシート部４２が位置づけられる。背面部（シート部５０ｂ）の左側にはセルフヒンジ部１１で連設されたシート部３４が、シート部３４の上側にはシート部３３が位置づけられる。なおシート部３３の右側に位置づけられるシート部４４の間にはスリット１６が設けられ、スリット１６はシート部３４と５０ｂが連設されているセルフヒンジ部１１手前にまで及ぶ。またシート部３４の下側に位置づけられるシート部４２の間にはスリット１７が設けられ、スリット１７はシート部４３と５０ｂの折り曲げ線１４手前にまで及ぶ。
【００２２】
シート部３３を折り曲げ線１２に沿って印刷面を裏面にして谷折り（折り曲げ線１２が内側に隠れるように折ること。以下、印刷面を裏面にして谷折り・山折りを考える。）にシート部３４に重ねることで扉部３０が形成される。シート部４２を折り曲げ線１３に沿って谷折りにシート部４３に重ね、こうして重ねた収容シート４２、４３をさらに折り曲げ線１４に沿って谷折りにシート部５０ｂに重ねる。その上からシート部４４を折り曲げ線１５に沿って谷折りに重ねることで収容部４０が形成される。扉部３０がセルフヒンジ部１１を介して収容部４０に連設されることで収容ケース１０が形成される。
【００２３】
図２に示すように、扉部表側３０ａおよび扉部裏側３０ｂと背面部５０との間にセルフヒンジ１１が位置づけられて、扉部３０が閉じられると、扉部３０と背面部５０との間に収容部４０が位置づけられるようになっており、収容ケース１０を閉じた状態で、扉部の内側面３０ａ、扉部の外側面３０ｂ、背面部の外側面５０ａ、および収容部表面シートの上面４１が、何れもブランク２０の一面側の面となるようになっている。従って、収容ケース１０の所望の面に印刷を施すためには、ブランク２０の一面側の所定の領域に印刷を施せばよいことになる。
【００２４】
なお、ブランク２０を折りたたんで収容ケース１０として、これを閉じた状態で、収容ケース１０の表面側に位置づけられる背面部５０の１つの面が背面部の表面５０であり、収容ケース１０の表面側に位置づけられる扉部３０の１つの面が扉部３０の外側面３０ｂ（前面）であり、扉部３０を閉じたときに収容ケース１０の表面側に現れない一方、扉部３０を開いたときに現れる面を扉部３０の内側面３０ａ（後面）とする。
【００２５】
図２は収容ケース１０の、扉部３０を開いたときの斜視概略構成を示す図である。
【００２６】
図３は図２に示す収容ケース１０の収容部４０の断面概略構成を示す図である。収容部４０の内側面の最表面から順に、シート部４４（収容部表面シート）、その下にシート部４３（収容部４０の表面内部側になる面）、次にシート部４２（収容部４０の最内部側になる面）、最後にシート部５０ｂ（背面部）が重ねられている。
【００２７】
シート部４４（収容部表面シート）は収容開口部４５および保持手段（開口延出部）４８を有しており、シート部４２は収容孔４６を有しており、シート部４３は収容孔４７を有している。シート部４２の収容孔４６およびシート部４３の収容孔４７は、収容物の外形形状よりも若干大きめである（例えばＣＤの場合、ＣＤの直径よりわずかに大きい内形を有する収容孔である。）。
【００２８】
シート部４２の収容孔４６およびシート部４３の収容孔４７は、同一の大きさの孔であってもよく、背面部（シート部５０ｂ）に重ねられるシート部４２の収容孔４６をシート部４３の収容孔４７より僅かに大きくしてもよい。
【００２９】
ここで、シート部４４（収容部表面シート）の収容開口部４５は、収容物の外形形状よりも若干大きめであるが、シート部４２の収容孔４６およびシート部４３の収容孔４７より小さめに形成されている。
【００３０】
そして、これらシート部４２、４３および４４を重ねたときには、収容孔４６、収容孔４７および収容開口部４５が重なるようになっている（例えば、これらが円形であるときには、これらはすべて中心点が一致するようになっている。）。
【００３１】
従って、シート部４４（収容部表面シート）の収容開口部４５の縁の内径４５ａは、収容孔４６、収容孔４７で形成される収容物を収容するための空間の外形（収容空間４７ｓ）より僅かに小さくなって、開口側（収容開口部４５）において、収容物の脱落を防ぐ作用を発揮する。
【００３２】
シート部４４、さらに保持手段（開口延出部）４８を有している。保持手段（開口延出部）４８は、収容開口部４５に向け延出している。従って保持手段（開口延出部）４８は、収容物が収容孔４６および４７から脱落を更に確実に防ぐことができる。
【００３３】
収容部４０は、被収容物Ａを収容部４０から取り出すための取り出し孔４９を連設している。取り出し孔４９は、例えば指先を入れることができる程度の大きさの孔である。取り出し孔４９は、取り出し孔部４９ａ乃至４９ｃで形成される。収容開口部４５には取り出し孔部４９ａが、収容孔４６には取り出し孔部４９ｂが、収容孔４７には取り出し孔部４９ｃが連設されている。収容部シート４２、４３および４４を折り重ねたときには、取り出し孔部４９ａ乃至４９ｃが重なるようになり、取り出し孔４９を形成する。
【００３４】
例えば、収容物がＣＤである場合には、取り出し孔４９は、円形の収容開口部４５等に連接する２つの円形状の孔として設けられる。なお取り出し孔は、１つでも２つでもよく設ける数に限定はない。
【００３５】
収容ケース１０の扉部３０がセルフヒンジ部１１を介して収容部４０に連設されることで、被収容物Ａを保持することができる。収容ケース１０に厚みがある場合には、セルフヒンジ部１１の外側がある幅を持つ。かかるセルフヒンジ部の外側に印刷を施すときには、セルフヒンジ部の外側も一面側にあることから、一つの版面で印刷をすることができる。
【００３６】
以上説明したように、本発明の収容ケース１０によれば、ブランク２０の取り都合を向上することができ、またブランク２０の一面側に印刷を施すだけで、所望の面に所望の文字、字形、イラスト等を印刷することができて、収容ケースの商品価値を向上することができるとともに、低コスト化も実現できる。くわえて、収容物を確実に収容できる収容ケースを実現することができる。
【００３７】
なお本発明にかかる収容ケースは、その趣旨を逸脱しない範囲で適宜変形して実施することができる。例えば、その収容シート部が複数の収容開口部を有するものであれば、コレクション用の記念通貨やコインなどの被収容物を収容する収容ケースとして使用できる。
【符号の説明】
【００３８】
１０  収容ケース
１１  セルフヒンジ部  
１２  （扉部シート）折り曲げ線  
１３  （収容部シート）折り曲げ線  
１４  （収容部シート）折り曲げ線  
１５  （収容部シート）折り曲げ線  
１６、１７  スリット
２０  ブランク
３０  扉部
３０ａ  扉部表側、扉部の内側面（後面）
３０ｂ  扉部裏側、扉部の外側面（前面）
３３、３４  扉部シート
４０  収容部
４１  収容部表面シートの上面
４２、４３  収容部シート
４４  収容部表面シート
４５  収容部表面シートの上面の収容開口部  
４５ａ  収容部表面シートの収容開口部の縁の内径
４６、４７  収容部シートの収容孔
４７ｓ  収容空間
４８  保持手段（開口延出部）  
４９  取り出し孔
４９ａ、４９ｂ、４９ｃ  取り出し孔部
５０  背面部
５０ａ  背面部の外側面
５０ｂ  背面部シート
Ａ  （コンパクトディスク等の）被収容物
【図１】
2013014361.tif 000003
【図２】
2013014361.tif 000004
【図３】
2013014361.tif 000005